(57)【要約】【課題】  使用時に持ち易い感触を得られると共に、学童用の画筆に使用した場合、怪我をすることなく使用できる。  また、芯材に文字等を表示することにより、メーカーやブランド名が一目でわかり、着色することにより、種類ごとに識別できる。  さらに、被覆部の先端部を尖端状に形成することにより各種ブラシヘッドを着脱自在に取り付けられる筆用軸及び筆を提供する。【解決手段】  芯材の頂部を含む外周に、透明あるいは着色して半透明にしてなるシリコンゴムを被覆してなる被覆部を設けてなることを特徴とする。【選択図】  図１
2006150920.tif 000002
【特許請求の範囲】
【請求項１】
芯材の頂部を含む外周に、透明あるいは着色して半透明にしてなるシリコンゴムを被覆してなる被覆部を設けてなることを特徴とする筆用軸。
【請求項２】
芯材の表面に、文字等を表示してなる表示部を設けてなることを特徴とする請求項１記載の筆用軸。
【請求項３】
芯材を着色してなることを特徴とする請求項１又は２記載の筆用軸。
【請求項４】
芯材が、パイプであることを特徴とする請求項１、２又は３記載の筆用軸。
【請求項５】
被覆部に着色部及び／または刻印部を設けてなることを特徴とする請求項１、２、３又は４記載の筆用軸。
【請求項６】
被覆部の先端部を尖端状に形成してなることを特徴とする請求項１、２、３、４又は５記載の筆用軸。
【請求項７】
ブラシヘッドを上記請求項５記載の筆用軸の先端部に、着脱自在に取り付けてなることを特徴とする筆。
【請求項８】
各部材が耐有機溶剤性を有してなることを特徴とする請求項７記載の筆。
【発明の詳細な説明】
【技術分野】
【０００１】  本発明は、透明あるいは着色して半透明なシリコンゴムを芯材の外周に被覆することにより、このシリコンゴムの特性を生かした筆用軸及び筆に関するものである。
【背景技術】
【０００２】  従来の技術としては、複数の筆記軸を出没自在に収納する金属製の軸筒において、上記筆記軸が出没する先端カバー部近傍に、上記軸筒よりも外径を径小として形成してなる凹陥溝を周設すると共に、この凹陥溝の内底面を鏡面仕上げとした上で、シリコンゴムよりなる、薄肉で円筒状のゴムグリッパーを、この凹陥溝内に密着保持させてなる筆記具がある。（特許文献１参照）【０００３】  また、別の従来の技術として、チャックを前進させることにより芯を繰り出すシャープペンシルからなる筆記具において、軸筒及び軸筒に着脱可能に取り付けられる口金を集光性樹脂により構成したことを特徴とする筆記具がある。（特許文献２参照）
【特許文献１】  特開２００１−２１３０８５公報
【特許文献２】  特開２０００−３１８３７０公報
【発明の開示】
【発明が解決しようとする課題】
【０００４】  上記前者においては、主に使用者の指などに対する圧迫を緩和するものであり、長時間の使用において苦痛を与えない等の機能効果を有するものであり、単にシリコンゴムの弾力性のみ評価してなるものである。【０００５】  また、上記後者においては、シャープペンシルからなる筆記具の軸筒に口金を着脱自在に取り付けるもので、内部に入った光を端面に集中して端面が発光するもので、着脱自在の構造がまったく異なり、目的とする課題等もまったく異なるものである。【０００６】  本発明は上記の問題点に鑑みなされたもので、使用時に持ち易い感触を得られると共に、学童用の画筆に使用した場合、怪我をすることなく使用できる。
また、芯材に文字等を表示することにより、メーカーやブランド名が一目でわかり、着色することにより、種類ごとに識別できる。
さらに、被覆部の先端部を尖端状に形成することにより各種ブラシヘッドを着脱自在に取り付けられる筆用軸及び筆を提供することを目的とするものである。
【課題を解決するための手段】
【０００７】  そして、本発明は上記目的を達成するために、筆用軸においては、芯材の頂部を含む外周に、透明あるいは着色して半透明にしてなるシリコンゴムを被覆してなる被覆部を設けてなること。芯材の表面に、文字等を表示してなる表示部を設けてなること。芯材を着色してなること。芯材が、パイプであること。被覆部に着色部及び／または刻印部を設けてなること。被覆部の先端部を尖端状に形成してなることを特徴とする。
また、筆においては、ブラシヘッドを上記請求項５記載の筆用軸の先端部に、着脱自在に取り付けてなること。各部材が耐有機溶剤性を有してなることを特徴とする。
【発明の効果】
【０００８】１）、芯材の表面にメーカーやブランド名等の文字等を表示する表示部を設けることで、一目でわかり、透明あるいは着色して半透明にしてなるシリコンゴムで被覆することにより、文字等が消えることがない筆用軸を提供できる。
２）、被覆部により、例えば学童用の画筆に使用した場合、怪我をすることなく安全に使用できる筆用軸を提供できる。
３）、芯材を着色することにより洋筆用や和筆用等、識別できる筆用軸を提供できる。
４）、芯材をパイプとすることにより、軽量化できることは勿論のこと、被覆部の一部をパイプ内に入り込ませることにより、外れにくい筆用軸を提供できる。
５）、被覆部の着色部及び／または刻印部にてサイズ等の識別ができる筆用軸を提供できる。
６）、筆用軸の被覆部の先端部を尖端状に形成することにより、ブラシヘッドを着脱自在に取り付けられ、ブラシヘッドが壊れても、簡単に交換できる。
また、１本あれば色々なブラシヘッドを自由に交換できる筆用軸及び筆を提供できる。
７）、各部材が耐有機溶剤性を有することにより、壊れることなく長期間使用できる筆用軸及び筆を提供できる。
【発明を実施するための最良の形態】
【実施例】
【０００９】  筆用軸及び筆１は、アルミ製等（不透明）によるパイプの芯材２の頂部２ａを含む外周に透明な（着色して半透明でもよい）シリコンゴムを被覆してなる被覆部３を設けてあり、先端部を尖端状３ａに形成してなるものである。
なお、芯材２を例えば赤色に着色し、メーカー名等を印刷した表示部２ｂを設けるのも一考である。【００１０】  つぎに、筆用軸の他の実施例を説明する。
筆用軸２１は、被覆部２３の頂部に着色部２３ｂ（例えば青色等）を設け、また、サイズ等を表示した刻印部２３ｃを設けてある。【００１１】  上記筆用軸１・２１は、主に洋筆や和筆等の軸として使用するもので、上記構造により、表示部２ｂによりメーカー等を表示でき、文字等が消えることなく使用できる。
頂部２ａも被覆してあるため、特に子供が使用しても怪我をすることなく使用できる。
また、芯材を着色すること、着色部２３ａや刻印部２３ｂにより、色々な識別を表示できるものである。【００１２】  つぎに筆について説明する。
筆３１は、上記筆用軸１（２１）の被覆部３（２３）の尖端状３ａに形成した先端部に、ブラシ（毛）４ａと口金４ｂとからなるブラシヘッド４の口金４ｂを圧入して着脱自在に設けてなるもので、ブラシヘッド４が壊れても簡単に交換ができる。
また、１本あれば自分の好みに合わせてプラシヘッド４を交換して使用できる。【００１３】  なお、上記各実施例における材質において、シリコンゴムは透明（半透明）のものを使用するものとし、ブラシヘッドにおける口金は真ちゅう製にクロムメッキを施したものやアルミ製にアルマイト処理したものや合成樹脂とする。
また、ブラシ（毛）は例えばＰＢＴ（ポリブチレンテレフタレート）等を使用する。
以上の材質は耐有機溶剤性に優れており、長期に使用できるものである。
さらに、上記筆用軸は洋筆や和筆等、色々な筆に使用できるものであり、特に限定するものではない。
さらにまた、必要に応じて芯材を丸棒とし、着色して不透明な被覆部を形成し、芯材の表面にシークレット文字等を表示し、被覆部を引き抜き、シークレット文字等を読む等、遊び心のある筆用軸も一考である。
【図面の簡単な説明】
【００１４】
【図１】  本発明の第１実施例を示す筆用軸の正面図。
【図２】  本発明の第１実施例を示す筆用軸の右側面図。
【図３】  本発明の第２実施例を示す筆用軸の要部正面図。
【図４】  本発明の第１実施例を示す筆の一部縦断平面図。
【図５】  本発明の第１実施例を示す筆の正面図。
【符号の説明】
【００１５】１−−−筆用軸及び筆
２−−−芯材
３−−−被覆部
４−−−ブラシヘッド
【図１】
2006150920.tif 000003
【図２】
2006150920.tif 000004
【図３】
2006150920.tif 000005
【図４】
2006150920.tif 000006
【図５】
2006150920.tif 000007